(57)【要約】【課題】投球動作などの腕の動作時における衣服の突っ張りが少なく、運動機能性の高いスポーツ用上衣を提供する。【解決手段】  本発明のスポーツ用上衣１は、前身頃２、後身頃３、袖上部４及び袖下部５を含むスポーツ用上衣１であって、前身頃２と後身頃３の間には脇下から裾にかけてマチ部６が配置されており、マチ部６は、少なくとも大胸筋の１/５外側、前鋸筋の１/２外側、外腹斜筋の１/３外側、広背筋の１/３外側、及び外腹斜筋の１/５外側を含む連続した領域を覆うように形成され、マチ部６の幅は上下方向においてほぼ同一である。また、袖上部４には、着用時に縫い目が肩先に当たらず三角筋の内側を通るように形成されている三角筋内側縫製線８が設けられていることが好ましい。【選択図】図１Ｃ
2014034755.tif 000002
【特許請求の範囲】
【請求項１】
前身頃、後身頃、袖上部及び袖下部を含むスポーツ用上衣であって、
前記前身頃と前記後身頃の間には脇下から裾にかけてマチ部が配置されており、前記マチ部は、少なくとも大胸筋の１/５外側、前鋸筋の１/２外側、外腹斜筋の１/３外側、広背筋の１/３外側、及び外腹斜筋の１/５外側を含む連続した領域を覆うように形成され、前記マチ部の幅は上下方向においてほぼ同一であることを特徴とするスポーツ用上衣。
【請求項２】
前記マチ部の面積は、前記前身頃、前記後身頃、及び前記マチ部の全体面積の半分に対して１５％以上３０％以下である請求項１に記載のスポーツ用上衣。
【請求項３】
前記袖上部には、着用時に縫い目が肩先に当たらず三角筋の内側を通るように形成されている三角筋内側縫製線が設けられている請求項１又は２に記載のスポーツ用上衣。
【請求項４】
前記前身頃と前記袖上部を縫着した縫製線と、前記後身頃と前記袖上部を縫着した縫製線は、着用時に肩甲骨の外側あたりを通るように形成されている曲線状である請求項１〜３のいずれか１項に記載のスポーツ用上衣。
【請求項５】
袖ぐりから袖口までの前記袖下部の長さが、襟ぐりから袖口までの前記袖上部の長さの７０％以上９０％未満である請求項１〜４のいずれか１項に記載のスポーツ用上衣。
【請求項６】
前記前身頃と前記袖上部と前記袖下部と前記マチ部が縫着されている部位における前身頃の幅が、上下方向の中央部における前身頃の幅より大きい請求項１〜５のいずれか１項に記載のスポーツ用上衣。
【請求項７】
前記後身頃と前記袖上部と前記袖下部と前記マチ部が縫着されている部位における後身頃の幅が、上下方向の中央部における後身頃の幅より大きい請求項１〜６のいずれか１項に記載のスポーツ用上衣。
【請求項８】
前記袖下部と前記マチ部は袖ぐり位置で切り替えられている請求項１〜７のいずれか１項に記載のスポーツ用上衣。
【請求項９】
前記袖下部と前記マチ部をつなげて展開した場合、前記袖下部が前振りになっている請求項１〜８のいずれか１項に記載のスポーツ用上衣。
【発明の詳細な説明】
【技術分野】
【０００１】
本発明は、野球用上衣、ソフトボール用上衣などのスポーツ用上衣に関する。
【背景技術】
【０００２】
従来のスポーツ用上衣は、前身頃と後身頃を脇線で縫い合わせ、筒状にした袖をアームホールに縫い合わせて形成していた。このような構成の上衣は、投球動作などの腕の動作時の上半身の捻りに対して衣服の引き連れ、突っ張りが発生し、運動機能を低下させてしまう問題があった。そこで、これらの問題点を解消するために、本出願人は、肩周りのパーツを立体裁断して縫着した野球用上衣を提案した（特許文献１及び特許文献２）。
【０００３】
しかし、特許文献１及び特許文献２に提案されているスポーツ用上衣は、投球動作などの腕の動作時における衣服の突っ張りの改善が不十分であつた。
【先行技術文献】
【特許文献】
【０００４】
【特許文献１】特許第３８６６６８９号公報
【特許文献２】特開２０１０−１３３０６１号公報
【発明の概要】
【発明が解決しようとする課題】
【０００５】
本発明は、上記従来の問題を解決するため、投球動作などの腕の動作時における衣服の突っ張りが少なく、運動機能性の高いスポーツ用上衣を提供する。
【課題を解決するための手段】
【０００６】
本発明のスポーツ用上衣は、前身頃、後身頃、袖上部及び袖下部を含むスポーツ用上衣であって、上記前身頃と上記後身頃の間には脇下から裾にかけてマチ部が配置されており、上記マチ部は、少なくとも大胸筋の１/５外側、前鋸筋の１/２外側、外腹斜筋の１/３外側、広背筋の１/３外側、及び外腹斜筋の１/５外側を含む連続した領域を覆うように形成され、上記マチ部の幅は上下方向においてほぼ同一であることを特徴とする。
【発明の効果】
【０００７】
本発明のスポーツ用上衣は、少なくとも大胸筋の１/５外側、前鋸筋の１/２外側、外腹斜筋の１/３外側と、広背筋の１/３外側、及び外腹斜筋の１/５外側を含む連続した領域を覆うように、前身頃と後身頃の間に脇下から裾にかけて上下方向における幅がほぼ同一であるマチ部を形成することにより、投球動作などの腕の動作時における衣服の突っ張りが少なく、運動機能性の高いスポーツ用上衣を提供することができる。
【図面の簡単な説明】
【０００８】
【図１Ａ】図１Ａは、本発明の一実施態様のスポーツ用上衣の正面図である。
【図１Ｂ】図１Ｂは、図１Ａのスポーツ用上衣の背面図である。
【図１Ｃ】図１Ｃは、図１Ａのスポーツ用上衣の左袖側側面図である。
【図２Ａ】図２Ａは、本発明の一実施態様のスポーツ用上衣の部分型紙図である。
【図２Ｂ】図２Ｂは、本発明の一実施態様のスポーツ用上衣の部分型紙図である。
【図２Ｃ】図２Ｃは、本発明の一実施態様のスポーツ用上衣の部分型紙図である。
【図３】図３は、本発明の一実施態様のスポーツ用上衣の部分型紙図である。
【図４】図４は、本発明の一実施態様のスポーツ用上衣の部分型紙図である。
【図５Ａ】図５Ａは、従来のスポーツ用上衣の正面図である。
【図５Ｂ】図５Ｂは、図５Ａのスポーツ用上衣の背面図である。
【図５Ｃ】図５Ｃは、図５Ａのスポーツ用上衣の左袖側側面図である。
【図６】図６は、腕の水平姿勢時（立体安静時）における本発明の一実施例品と従来品の衣服圧の差を示すグラフである。
【図７】図７は、腕の上方姿勢時（立体安静時）における本発明の一実施例品と従来品の衣服圧の差を示すグラフである。
【図８】図８は、腕の前方姿勢時（立体安静時）における本発明の一実施例品と従来品の衣服圧の差を示すグラフである。
【図９】図９は、野球の投球動作を示す説明図である。
【図１０】図１０は、野球の投球動作時における本発明の一実施例品と従来品の衣服圧の差を示すグラフである。
【発明を実施するための形態】
【０００９】
従来のスポーツ用上衣は、通常、前身頃と後身頃を脇線で縫い合わせ、筒状にした袖をアームホールに縫い合わせて形成していたため、投球動作などの腕の動作時に、上半身の動きが衣服の突っ張りにより阻害される問題があった。そこで、本発明では、前身頃、後身頃、袖上部、袖下部を含むスポーツ用上衣において、少なくとも大胸筋の１/５外側、前鋸筋の１/２外側、外腹斜筋の１/３外側、広背筋の１/３外側、及び外腹斜筋の１/５外側を含む連続した領域を覆うように、前身頃と後身頃の間に脇下から裾にかけて上下方向における幅がほぼ同一であるマチ部を配置させている。このように、前身頃において少なくとも大胸筋の１/５外側、前鋸筋の１/２外側、及び外腹斜筋の１/３外側を含む連続した領域を覆うパーツと、後身頃において少なくとも広背筋の１/３外側、及び外腹斜筋の１/５外側を含む連続した領域を覆うパーツを一つのマチ部とし脇に沿うように面で捉えることにより、投球動作などの腕の動作時における衣服の突っ張りを軽減でき、腕の動きがスムーズになり、運動機能性が向上する。
【００１０】
本発明において、ほぼ同一とは、誤差が５ｍｍ以内であることを意味し、脇下から裾にかけて上下方向におけるマチ部の幅がほぼ同一であるとは、脇下から裾にかけて上下方向におけるマチ部の幅の誤差が５ｍｍ以内であることを意味する。また、本発明において、大胸筋の１／５外側とは、胸部の筋肉の１／５脇側の位置を意味し、前鋸筋の１／２外側とは、肩甲骨の下面の筋肉の１／２の位置を意味し、外腹斜筋の１／３外側とは、腹部の脇側の筋肉の１／３臍側の位置を意味し、広背筋の１／３外側とは、背部の肩甲骨下面の筋肉の１/３脇側の位置を意味し、外腹斜筋の１/５外側とは、腹部の脇側の筋肉の１/５背骨側の位置を意味する。
【００１１】
本発明のスポーツ用上衣において、マチ部の面積は、前身頃、後身頃、及びマチ部の全体面積の半分に対して、１５％以上３０％以下であることが好ましく、２０％以上２５％以下であることがより好ましい。本発明において、前身頃、後身頃、及びマチ部を総称して胴体部ともいう。胴体部の全体面積の半分に対するマチ部の面積が上記範囲内であることにより、投球動作などの腕の動作時における衣服の突っ張り感が軽減できるとともに、着用感も良好になる。
【００１２】
本発明のスポーツ用上衣において、袖下部とマチ部は袖ぐり位置で切り替えられていることが好ましい。袖ぐり位置で切り替えることにより、上記袖下部と上記マチ部の切り替え部に開きを設けることができる。投球動作などの腕の動作時における衣服の突っ張りがより軽減され、腕の動きがよりスムーズになるとともに、風通しもよくなる。また、上記袖下部と上記マチ部をつなげて展開した場合、袖下部が前振りになっていることが好ましい。袖を前振りにすることで、腕を振り切る際の衣服の突っ掛りが軽減し、運動機能性が向上する。
【００１３】
上記袖上部には、着用時に縫い目が肩先に当たらず三角筋の内側を通るように形成されている三角筋内側縫製線が設けられていることが好ましい。このように三角筋の盛り上がりに合わせて立体になるように三角筋内側縫製線を設けることにより、腕を上げた時の衣服の引き連れが軽減され、腕の動きがスムーズになり、運動機能性が向上する。
【００１４】
上記前身頃と上記袖上部を縫着した縫製線は、着用時に肩甲骨の外側あたりを通るように形成されている曲線状であることが好ましい。同様に、上記後身頃と上記袖上部を縫着した縫製線も、着用時に肩甲骨の外側あたりを通るように形成されている曲線状であることが好ましい。このような構成にすると、衣服の肩幅と身体の肩幅の差が少なく、胸幅も背幅も狭くなるので、投球動作などの腕の動作時における衣服の突っ張りがより軽減され、腕の動きがよりスムーズになり、運動機能性が向上する。
【００１５】
上記前身頃と袖上部と袖下部とマチ部が縫着されている部位における前身頃の幅は、上下方向の中央部における前身頃の幅より大きいことが好ましい。また、上記後身頃と袖上部と袖下部とマチ部が縫着されている部位における後身頃の幅は、上下方向の中央部における後身頃の幅より大きいことが好ましい。上記前身頃と袖上部と袖下部とマチ部が縫着されている部位及び上記後身頃と袖上部と袖下部とマチ部が縫着されている部位は、投球動作などの腕の動作時に胸や背中がそると、衣服が最もよく突っ張る箇所であり、このあたりの幅を大きくし、ゆとりを持たせることで、投球動作などの腕の動作時における衣服の突っ張りがより軽減され、腕の動きがよりスムーズになり、運動機能性が向上する。
【００１６】
袖ぐりから袖口までの袖下部の長さが、襟ぐりから袖口までの袖上部の長さの７０％以上９０％未満であることが好ましく、７５％以上８５％以下であることがより好ましい。この範囲であることにより、投球動作などの腕の動作時に突っ張り感を感じることもなく、袖を下ろした時に脇に衣服のたまりができることもなく、着心地が良くなる。また、投球動作などの腕の動作時における衣服の突っ張りが軽減されると、腕の動きがよりスムーズになり、運動機能性が向上する。
【００１７】
本発明において、生地としては、通常のスポーツ上衣用生地を用いればよく、特に限定されない。例えば織物、編物などを用いることができる。織物としては、例えば平織、斜文織、朱子織、変化平織、変化斜文織、変化朱子織、変わり織、紋織、片重ね織、二重組織、多重組織、経パイル織、緯パイル織、絡み織などが挙げられる。編物としては、例えば丸編、緯編、経編（トリコット編、ラッセル編を含む）、パイル編、平編、天竺編、リブ編、スムース編（両面編）、ゴム編、パール編、デンビー組織、コード組織、アトラス組織、鎖組織、挿入組織などが挙げられる。上記生地は、特に限定されないが、例えば、目付けが１６０〜３４０ｇ／ｍ2の範囲が好ましく、より好ましくは１８０〜２８０ｇ／ｍ2の範囲である。上記の範囲であれば、運動機能を損なわず、耐久性も良く、軽くて動きやすい利点がある。上記生地を縫製することで、スポーツ用上衣が得られる。
【００１８】
上記生地を構成する繊維としては、特に限定されず、例えばポリエチレンテレフタレート、ポリトリメチレンテレフタレート、ポリブチレンテレフタレートなどのポリエステル繊維、ポリウレタン繊維、ポリアミド繊維、アセテート繊維、コットン繊維、レーヨン繊維、エチレンビニルアルコール繊維、ナイロン繊維などを用いることができる。
【００１９】
以下、図面に基づいて、本発明のスポーツ用上衣を説明する。以下の図面において、同一符号は同一物を示す。
【００２０】
図１Ａは本発明のスポーツ用上衣の一実施態様の正面図であり、図１Ｂは同背面図であり、図１Ｃは同左袖側側面図である。この実施態様において、スポーツ用上衣１は、前身頃２、後身頃３、袖上部４及び袖下部５を含み、前身頃２と後身頃３の間には脇下から裾にかけてマチ部６が配置されている。マチ部６は、少なくとも大胸筋の１/５外側、前鋸筋の１/２外側、外腹斜筋の１/３外側、広背筋の１/３外側、及び外腹斜筋の１/５外側を含む連続した領域を覆うように形成されており、マチ部６の幅は上下方向においてほぼ同一である。このように、脇に沿うように面で捉え、マチ部６を設けることにより、腕の動作時における衣服の突っ張りを軽減でき、腕の動きがスムーズになる。スポーツ用上衣１は、生地を二重打ちして形成した前立て１０及び襟部１１を有してもよい。
【００２１】
スポーツ用上衣１において、袖下部５とマチ部６は袖ぐり位置７で切り替えられていることが好ましい。袖ぐり位置７で切り替えることにより、袖下部５とマチ部６の切り替え部に開きを設けることができる。腕の動作時における衣服の突っ張りがより軽減され、腕の動きがよりスムーズになるとともに、風通しもよくなる。
【００２２】
袖上部４には、着用時に縫い目が肩先に当たらず三角筋の内側を通るように形成されている三角筋内側縫製線８が設けられている。三角筋の盛り上がりに合わせ立体になるように三角筋内側縫製線８を設けることにより、腕を上げた時の衣服の引き連れが軽減され、腕の動きがスムーズになり、運動機能性が向上する。
【００２３】
前身頃２と袖上部４を縫着した縫製線９ａは、着用時に肩甲骨の外側あたりを通るように形成されている曲線状であることが好ましい。同様に、後身頃３と袖上部４を縫着した縫製線９ｂも、着用時に肩甲骨の外側あたりを通るように形成されている曲線状であることが好ましい。このように、縫製線９ａ及び縫製線９ｂを配置することにより、衣服の肩幅と身体の肩幅の差が少なく、胸幅も背幅も狭くなることで、腕の動作時における衣服の突っ張りがより軽減され、腕の動きがよりスムーズになり、運動機能性が向上する。
【００２４】
図１Ａに示しているように、前身頃２と袖上部４と袖下部５とマチ部６とが縫着されている部位における前身頃２の幅Ｌ１は、上下方向の中央部における前身頃２の幅Ｌ２より大きいことが好ましい。また、図１Ｂに示しているように、後身頃３と袖上部４と袖下部５とマチ部６とが縫着されている部位における後身頃３の幅Ｌ３は、上下方向の中央部における後身頃３の幅Ｌ４より大きいことが好ましい。前身頃２と袖上部４と袖下部５とマチ部６とが縫着されている部位及び後身頃３と袖上部４と袖下部５とマチ部６とが縫着されている部位は、投球動作などの腕の動作時に胸や背中がそると、衣服がよく突っ張る箇所であり、このあたりの幅を大きくすることで、腕の動作時における衣服の突っ張りがより軽減され、腕の動きがよりスムーズになり、運動機能性が向上する。
【００２５】
袖ぐりから袖口までの袖下部の長さＬ５が、襟ぐりから袖口までの袖上部の長さＬ６の７０％以上９０％未満であることが好ましく、７５％以上８５％以下であることがさらに好ましい。このようにすることで、腕を上げる時の衣服の突っ張りが軽減され、腕の振りがよりスムーズになり、運動機能が向上する。Ｌ５がＬ６の７０％未満であると、袖下部の長さが短く突っ張り感を感じる恐れがあり、Ｌ５がＬ６の９０％以上であると袖を下ろした時に脇に衣服のたまりができ、着心地が悪くなる恐れがある。
【００２６】
図２Ａ−２Ｃは、本発明の一実施態様のスポーツ用上衣の部分型紙図である。図２Ａにおいて、型紙は、前身頃パーツ２１、後身頃パーツ２２、マチ部パーツ２３及び袖下部パーツ２４の４つのパーツで構成されている。前身頃パーツ２１には前立てパーツ２５が形成されている。マチ部パーツ２３は、前マチ部パーツ２３ａと後マチ部パーツ２３ｂが一つになったものである。図２Ｂには、一体化された前身頃パーツ２１と袖上部前部パーツ２８ａの型紙が示されており、図２Ｃには、一体化された後身頃パーツ２２と袖上部後部パーツ２８ｂの型紙が示されている。図２Ａ−２Ｃに示されている型紙は、具体的には、以下のような設計となっている。
【００２７】
図２Ｂに示しているように、前身頃パーツ２１において、投球動作時に衣服がよく突っ張る箇所Ｃより脇寄りに構造線（縫製線）２６を引き、前マチ部パーツ２３ａを形成する。同様に、図２Ｃに示しているように、後身頃パーツ２２において、投球動作時に衣服がよく突っ張る箇所Ｃより脇寄りに構造線（縫製線）２７を引き、後マチ部パーツ２３ｂを形成する。図２Ａに示しているように、前マチ部パーツ２３ａと後マチ部パーツ２３ｂを一つにし、上下方向においてほぼ同一の幅になるようにマチ部２３を作り、脇に沿うように面で捉え、投球動作などの腕の動作時における衣服の突っ張りを軽減し、運動機能を向上させている。
【００２８】
図２Ｂ−２Ｃに示しているように、袖上部前部パーツ２８ａと袖上部後部パーツ２８ｂは、肘位置Ｆが肩の高さまで上げた状態になるようにして設計し、袖下から身頃脇線までの距離を伸ばしている。図２Ｂにおいて、Ｅは肩線を示している。図２Ａに示しているように、袖下から身頃脇線までの距離はＨで示す幅分伸びており、腕を上げる際の衣服の突っ張りを軽減し、運動機能を向上させる。従来のスポーツ用上衣は腕を上げる動作、言わば肘を肩の高さまで上げる動作を考慮した設計にはなっておらず、そのためほとんどのスポーツ用上衣は腕を上げると突っ張る。特にスポーツ用上衣の裾をパンツの中に入れベルトを締めた場合に腕を上げる動作をすると衣服が引きつれて運動機能を低下させると同時に、裾が上がり腕を下ろすとベルト上部にたるみができ、裾を入れ直すといった問題がおきる。本発明のスポーツ用上衣では、袖下から身頃脇線までの距離を伸ばすことにより、袖ぐりから袖口までの袖下部の長さＬ５が、襟ぐりから袖口までの袖上部の長さＬ６の７０％以上と長くなり、腕を上げる際の衣服の突っ張りが軽減し、運動機能が向上する。
【００２９】
袖上部前部パーツ２８ａでは、腕を上げた時の三角筋の盛り上がりに着目し、縫い目が肩先に当たらず三角筋の内側を通る三角筋内側縫製線２９を入れ、三角筋の盛り上がりに合わせて立体になるよう設計している。三角筋内側縫製線２９を設けることにより、腕を上げた時の衣服の引き連れが軽減され、腕の動きがスムーズになり、運動機能性が向上する。
【００３０】
図２Ｂに示しているように、投球動作時に衣服がよく突っ張る箇所Ｃより脇寄りに縫製線２６を引くときに、部位Ａにゆとり量を追加している。同様に、図２Ｃに示しているように、投球動作時に衣服がよく突っ張る箇所Ｃより脇寄りに縫製線２７を引くときに、部位Ｂにゆとり量を追加している。このように部位Ａにゆとりを持たせることにより、スポーツ用上衣において、前身頃２と袖上部４と袖下部５とマチ部６とが縫着されている部位における前身頃２の幅Ｌ１は、上下方向の中央部における前身頃２の幅Ｌ２より大きくなり、投球動作などの腕を上げる動作時に衣服の突っ張りがより軽減され、腕の振りがよりスムーズになり、運動機能性が向上する。また、このように部位Ｂにゆとりを持たせることにより、スポーツ用上衣において、後身頃３と袖上部４と袖下部５とマチ部６とが縫着されている部位における後身頃３の幅Ｌ３は、上下方向の中央部における後身頃３の幅Ｌ４より大きくなり、投球動作などの腕を上げる動作時に衣服の突っ張りがより軽減され、腕の振りがよりスムーズになり、運動機能が向上する。
【００３１】
図３は、本発明の一実施態様のスポーツ用上衣の部分型紙図である。この型紙は、前身頃パーツ３１と後身頃パーツ３２で構成されている。前身頃パーツ３１には前立てパーツ３３が設けられている。従来の上衣では、点線３６で示しているように、アームホールは身体の肩幅に対してゆとりをもたせた設計にしているため、実際の肩位置より外側にずれている。そして、胸幅及び背幅も肩幅に合わせて設定しているため、胸幅、背幅も外側にずれることになる。この設計だと、腕の振りに対して肩甲骨辺りと胸と腕の付け根辺りに衣服がたまり突っ掛かることにより運動機能を阻害してしまう。本実施態様では、線３７で示しているように、衣服の肩幅を身体の肩幅に近い数値に設定することで、胸幅３４と背幅３５も従来よりも狭く設定しているため、腕を振った時の衣服の突っ掛かりを軽減することができる。
【００３２】
図４は、本発明の一実施態様のスポーツ用上衣の部分型紙図である。この型紙は、マチ部パーツ４１と袖下部パーツ４２で構成されている。マチ部パーツ４１と袖下部パーツ４２を袖ぐり位置４３で切り替えることにより、脇下に開きを設けることができる。腕を上げる際の衣服の突っ張りを軽減し、運動機能が向上するとともに、風通しもよくなる。また、袖下部パーツ４２を前振りにしてマチ部パーツ４１に縫い合わせることにより、袖を前振りにし、腕を振り切る際の衣服の突っ掛りを軽減し、運動機能が向上する。
【００３３】
図５Ａは従来のスポーツ用上衣の正面図であり、図５Ｂは同背面図であり、図５Ｃは同左袖側側面図である。従来のスポーツ用上衣５０は、前身頃５１、後身頃５２、前袖部５３ａ、後袖部５３ｂを縫製線５４、５５、５６、５７で縫着して形成している。
【実施例】
【００３４】
以下実施例を用いて本発明をさらに具体的に説明する。なお、本発明は下記の実施例に限定されるものではない。
【００３５】
（実施例１）
生地としてポリエステル１００％の経編生地（目付：１３４ｇ／ｍ2、ストレッチ性（伸縮率）：２９．０％）を用いて図１Ａ〜１Ｃに示す野球用上衣（ＪＡＳＰＯ規格Ｌサイズ）を作製した。この野球用上衣は、マチ部６の幅が約１３ｃｍであり、前身頃２の幅Ｌ１は約２２ｃｍであり、前身頃２の幅Ｌ２は約２０ｃｍであり、後身頃３の幅Ｌ３は約４８ｃｍであり、後身頃３の幅Ｌ４は約４３ｃｍであり、袖下部の長さＬ５は約２９ｃｍであり、袖上部の長さＬ６は約３９ｃｍであった。また、胴体部の全体面積の半分に対するマチ部の面積の割合は２３％であった。
【００３６】
（比較例１）
比較例品として、実施例１で用いた生地と同様の生地を用い、図５Ａ〜５Ｃに示す従来の野球用上衣（ＪＡＳＰＯ規格Ｌサイズ）を作製した。
【００３７】
実施例及び比較例の野球用上衣を、それぞれ３名の被験者に着用させ、衣服圧を下記のように測定した。衣服圧の測定には、ＡＭＩ社製の衣服圧測定装置を用いた。衣服圧センサーとしてはエアパック型式標準（型番：ＡＭＩ３０３７（２）標準）を用い、測定機器としては接触圧測定器（型式：ＡＭＩ３０３７−２）を用いた。衣服センサーを身体に直接貼り付け、立位安静時の肩、背中、胸における衣服圧を計測した。計測方法は、接触間に扁平状にエアを封じ込めエアの圧力を測定する際に、エアを非伸縮性で柔軟なフィルムからなる袋に厚み１ｍｍになるように封じ込め、圧力でつぶれないチューブで接触外部の圧力センサーへ導き、大気との差圧で測定した。値は袋面積の平均値となる。立位安静時の姿勢は、腕を水平に上げる水平姿勢、腕を上に上げる上方姿勢、腕を前に上げる前方姿勢の３種類の姿勢とした。衣服圧としては、３名の被験者における計測値の平均値を用いた。下記表１及び図６〜図８には、水平姿勢時、上方姿勢時及び前方姿勢時の従来品（比較例１品）と実施例品の衣服圧の差を示した。
【００３８】
【表１】
2014034755.tif 000003
【００３９】
上記表１及び図６〜８の結果から分かるように、実施例品の野球用上衣は、従来品と比較して、水平姿勢、上方姿勢及び前方姿勢のいずれの姿勢時も、肩部における衣服圧が顕著な低かった。このことから、本発明の実施例の野球用上衣を着用した場合、立体安静時において、肩部における衣服圧が低く、ゆとりがあることが確認できた。
【００４０】
次に、動作時における衣服圧を上記と同様に測定した。動作としては、野球の投球動作とし、図９に示す投球動作の各モーション時の衣服圧を測定した。その結果を下記表２及び図１０に示した。
【００４１】
【表２】
2014034755.tif 000004
【００４２】
表２及び図１０の結果から分かるように、実施例品は従来品と比較して、動作時の肩部における衣服圧が低く、その分動きに対する制限が少なく、運動機能性が向上していた。これは実施例品において、投球動作時における衣服の突っ張り感が軽減しているためである。
【００４３】
（実施例２〜４）
マチ部の幅、前身頃の幅Ｌ１、前身頃の幅Ｌ２、後身頃の幅Ｌ３、後身頃の幅Ｌ４、袖下部の長さＬ５、袖上部の長さＬ６を下記表３に示した値にした以外は、実施例１と同様にして実施例２〜４の野球用上衣を作製した。
【００４４】
【表３】
2014034755.tif 000005
【００４５】
実施例２〜５及び比較例１の野球用上衣を、それぞれ１０名の被験者に着用させ、着用感及び突っ張り感を以下のような５段階の基準で官能評価し、その結果を下記表４に示した。なお、下記表４には、１０名の被験者の平均を示した。比較例１の野球用上衣を従来品とした。
【００４６】
（評価基準）
５：従来品より非常に良い。
４：従来品よりかなり良い。
３：従来品と同等。
２：従来品に比べてやや劣る。
１：従来品より劣る。
【００４７】
【表４】
2014034755.tif 000006
【００４８】
表４の結果から分かるように、胴体部の全体面積の半分に対するマチ部の面積の割合が１５〜３０％である場合、突っ張り感が軽減されるとともに、着用感も優れていた。
【産業上の利用可能性】
【００４９】
本発明のスポーツ用上衣は、野球、ソフトボール用ユニフォームとして好適であるほか、アメリカンフットボールなど類似のユニフォームにも好適である。
【符号の説明】
【００５０】
１、５０  スポーツ用上衣
２、５１  前身頃
３、５２  後身頃
４  袖上部
５  袖下部
６  マチ部
７、４３  袖ぐり位置
８、２９  三角筋内側縫製線
９ａ、９ｂ、２６、２７、５４、５５、５６、５７  縫製線
１０  前立て
１１  襟部
２１、３１  前身頃パーツ
２２、３２  後身頃パーツ
２３、４１  マチ部パーツ
２３ａ  前マチ部パーツ
２３ｂ  後マチ部パーツ
２４、４２  袖下部パーツ
２５、３３  前立てパーツ
２８ａ  袖上部前部パーツ
２８ｂ  袖上部後部パーツ
３４  胸幅
３５  背幅
５３ａ  前袖部
５３ｂ  後袖部
【図１Ａ】
2014034755.tif 000007
【図１Ｂ】
2014034755.tif 000008
【図１Ｃ】
2014034755.tif 000009
【図２Ａ】
2014034755.tif 000010
【図２Ｂ】
2014034755.tif 000011
【図２Ｃ】
2014034755.tif 000012
【図３】
2014034755.tif 000013
【図４】
2014034755.tif 000014
【図５Ａ】
2014034755.tif 000015
【図５Ｂ】
2014034755.tif 000016
【図５Ｃ】
2014034755.tif 000017
【図６】
2014034755.tif 000018
【図７】
2014034755.tif 000019
【図８】
2014034755.tif 000020
【図９】
2014034755.tif 000021
【図１０】
2014034755.tif 000022